(57)【要約】【課題】極めて簡単な方法で点検可能な、本書で示した類の煙道ガス洗浄機を提供する。【解決手段】少なくともひとつの水平に配置される小滴セパレーターシステムを清掃するために利用される噴霧管のための支持構造を備えた煙道ガス洗浄機を開示する。各小滴セパレーターシステムは、支持体に取り付けられる小滴セパレーターパケットから成る。噴霧管のための支持構造は、小滴セパレーターパケットに隣接して、もしくは、小滴セパレーターパケット間に配置される。その結果、セパレーターシステムの点検及び清掃が意義深く改善される。
2006501988.tif 000002
【特許請求の範囲】
【請求項１】
支持体に支持される小滴セパレーターパケットにより形成される少なくともひとつの水平に配置される小滴セパレーターシステムを清掃するための噴霧管のための支持構造を備えた煙道ガス洗浄機であって、噴霧管（８）のための支持構造（７）が、小滴セパレーターパケット（１５）に、もしくは、小滴セパレーターパケット（１５）間に配置されることを特徴とする煙道ガス洗浄機。
【請求項２】
請求項１に記載の煙道ガス洗浄機であって、小滴セパレーターパケット（１５）が、支持構造（７）を配設するための強化端部を有することを特徴とするもの。
【請求項３】
請求項２に記載の煙道ガス洗浄機であって、強化端部（６）が、ボックス状に形成されることを特徴とするもの。
【請求項４】
請求項２または３に記載の煙道ガス洗浄機であって、強化端部（６）に、少なくとも一本のロッド状支持部材（９）が貫通することを特徴とするもの。
【請求項５】
請求項４に記載の煙道ガス洗浄機であって、複数のロッド状支持部材（９）が、噴霧管支持要素（１０）により互いに接続されることを特徴とするもの。
【請求項６】
請求項４または５に記載の煙道ガス洗浄機であって、ロッド状支持部材（９）が、数個のパーツから成り、且つ、強化端部（６）の外側に接続部位を有することを特徴とするもの。
【請求項７】
請求項４〜６のうちひとつに記載の煙道ガス洗浄機であって、一本のロッド状支持部材（９）もしくは複数のロッド状支持部材（９）が、強化端部（６）から上方および下方に伸びることを特徴とするもの。
【請求項８】
請求項４〜７のうちひとつに記載の煙道ガス洗浄機であって、ロッド状支持部材（９）が、強化端部（６）へ挿入可能であることを特徴とするもの。
【請求項９】
請求項１に記載の煙道ガス洗浄機であって、前記支持構造が、隣り合う小滴セパレーターパケット（１５）の間に配置される支持部材（１６）により形成されることを特徴とするもの。
【請求項１０】
請求項９に記載の煙道ガス洗浄機であって、支持部材（１６）が、フランジ接続（１８）を介してセパレーターパケット（１５）に接続されることを特徴とするもの。
【請求項１１】
請求項９また１０に記載の煙道ガス洗浄機であって、支持部材（１６）が噴霧管（８）を直接に支持することを特徴とするもの。
【請求項１２】
請求項１〜１１のうちひとつに記載の煙道ガス洗浄機（１）に利用するための支持構造（７）。
【発明の詳細な説明】
【技術分野】
【０００１】
本発明は、支持体へ支持される小滴セパレーターパケットから成る少なくともひとつの水平配置の小滴分離器（小滴セパレーター）システムを清掃するための噴霧管のための支持構造を備えた煙道ガス洗浄機に関する。
【背景技術】
【０００２】
通常、煙道ガス洗浄機は、ふたつのセパレーターステージの間を手動で点検できる高さ間隔をあけて、互いに上下になるように、個々の支持体システムに配置される、少なくともひとつの、粗セパレーターステージと、精細セパレーターステージとを有する。これらのセパレーターステージはそれぞれ、複数の、同一のセパレーター部材から構成され、この複数のセパレーター部材は、個々の小滴セパレーターラメラによって一体化される小滴セパレーターパケットである。
【０００３】
このような小滴セパレーターシステムは、連続的な使用で汚染するので、定期的に清掃しなければならない。そのため煙道ガス洗浄機には、通常、個々の小滴セパレーターシステムの上方や下方、そして、個々の小滴セパレーターシステムの間に、噴霧管を組み込んでおり、これにより、小滴セパレーターシステムには、両側に、適当な清掃媒体（水）が清掃を目的として噴霧される。噴霧管は煙道ガス洗浄機の横断面において噴霧管を均等に分配させ得る支持構造により支持される。
【０００４】
小滴セパレーターパケットを支持する支持体に、前記した噴霧管用支持構造を配置することは知られている。例えば、斯かる支持構造は、支持体から上方及び下方へ伸びて噴霧管を配置する対応の支持フレームを支持する支持部材によって限定される。
【０００５】
斯かるシステムは噴霧管の操作性を維持するよう定期的に点検及び清掃される必要がある。ただし、このシステムでは、支持体に配置される支持部材と、噴霧管のための支持フレームとから成る噴霧管用支持構造が、支持体のレンジ内で行われるべき横移動動作を邪魔するので、点検の実施は難しい方法でしか行えない。従って、特定の時間で実施する必要のある、点検、特に清掃プロセスは、必然的に、これらシステムの、より困難な条件の下でのみ行えることになる。
【０００６】
噴霧管支持構造が、小滴セパレーターシステムのための支持体に配置されるかぎり、その配置方法では支持体の上と下の空間が支持体と交差する支持部材と支持フレームによって占められるので、前述した困難さは、常に存在する。多くの場合、この支持フレームは、洗浄機の壁部自体にも接続されるので、このレンジにおいても、横移動動作がいっそう困難になる。
【０００７】
従って、煙道ガス洗浄機に噴霧管を配設するためには、そのための支持構造を、小滴セパレーターシステムの支持体に、つまりは、洗浄機自体に、取り付けなければならない。このことはすなわち、煙道ガス洗浄機の製造者にとっての余計な努力を意味している。なぜなら、煙道ガス洗浄機製造者は、特に例えば、支持体システムがラバーコーティングなどの腐食防止コーティングされる場合、決定的に考慮が必要となる精確な寸法を伴った十分調整された実施例を供給しなければならないからである。
【発明の開示】
【発明が解決しようとする課題】
【０００８】
本発明の目的は、極めて簡単な方法で点検可能な、本書で示した類の煙道ガス洗浄機を提供することである。
【課題を解決するための手段】
【０００９】
本発明によれば前記の目的は、噴霧管の支持構造を、小滴セパレーターパケットに、もしくは、小滴セパレーターパケット間に配置するという態様によって本書で示した類の煙道ガス洗浄機により達成される。
【００１０】
本発明による解決策と、前述の先行技術との決定的な相違点は、噴霧管支持構造が、例えば、支持体など、煙道ガス洗浄機の構造物へ直接に接続されるのではなく、むしろ、小滴セパレーターパケットに、または、小滴セパレーターパケット間に配置され、また、これと一体に取り付けられるという態様にある。これにより、煙道ガス洗浄機製造者が噴霧管用の支持構造の取り付けを考慮する必要がないという利点、もしくは、あらかじめ自分のシステムにそのような支持構造を備える必要があるにはあるが、単数もしくは複数の小滴セパレーターシステムが設置される場合前記支持構造には噴霧管を設けることが出来るという利点がある。
【００１１】
即ち、前記支持構造はセパレーターシステムのコンポーネントを構成している。
小滴セパレーターパケットの支持のための支持体の上と下のスペースは、本発明支持構造がセパレーターシステムへ画期的に移されることと、個々の小滴セパレーター部材もしくは小滴セパレーターパケットへの、もしくは、個々の小滴セパレーター部材もしくは小滴セパレーターパケット間への前記支持構造の取り付けによって、束縛の無い自由な状態に維持される。すなわち、前記支持構造が、支持体間のレンジへ移され、それにより、点検目的の横断通路が支持体の上と下に設けられる。この横断通路は、横方向に走る支持部材や支持体要素に邪魔されない。横断通路の高さは、小滴セパレーターシステムのための支持システム間の間隔によって決まる。
【００１２】
セパレーターシステムを構成する個々のセパレーターパケットへ支持される支持体は、通常、二重Ｔ形ビーム（Ｈ形ビーム）、または、中空形状であり、その上部フランジに、個々のセパレーターパケットが配置される。先行技術の場合、隣接するセパレーターパケット間のスペースは、垂直な支持部材の取り付けに用いられていたので、支持体上方の空間はもはや横切ることは不可能であった。一方、現在、本発明によれば、当該支持構造は、支持体から左側や右側へ遠く離れるよう移されるので、支持体の上と下のレンジに十分大きなフリースペースが生じ、点検を目的として本発明システムを横断することが可能となる。前記支持構造は、セパレーターパケット自体によって支持されるか、もしくは、（複数のセパレーターパケットが、隣り合う支持体どおしの間に配置される場合）セパレーターパケット間に配置される。この後者のケースでは、前記支持構造は、複数のセパレーターパケットからなるセパレーターシステムによって支持される。当然ながら、このセパレーターパケットは、前記支持構造を支持し得るように、互いに、形成されるか、互いに接続される。
【００１３】
噴霧管支持構造の小滴セパレーターパケットへの配置のもととなる実施例において、小滴セパレーターパケットが、当該支持構造の配置のための強化端部を有していることが望ましい。この強化端部は、長さが、小滴セパレーターパケットの全幅にわたる必要は無いが、小滴セパレーターパケットの全幅の一部だけを形成するようにしてもよい。なお、好ましくは、前記強化端部はボックス状に形成する。
【００１４】
この実施例によれば、前記強化端部は、適宜、少なくとも一本のロッド状支持部材により貫通される。この場合、この支持部材は、前記した噴霧管の支持構造のために設けられていて、一方の側において、もしくは、両側において、小滴セパレーターパケットの強化端部（ボックス状部分）から上方へ、及び／または、下方へ伸びていてもよい。
【００１５】
好ましくは、噴霧管用支持構造は、複数の支持部材、特に、二本の支持部材が互いに接続されるための手段となる噴霧管キャリー部材によって形成される。従って、例えば、強化端部を備えた小滴セパレーターパケットを、二つの隣接する支持体の間に設けることが出来る。この場合、強化端部は両方とも、上方及び下方へ伸びる個々の支持部材により貫通されており、また、二本の支持部材は、上と下に例えば二本の噴霧管が配置され支持体に対して平行に伸びるキャリー部材によって接続される。当然ながら、前記支持部材は小滴セパレーターパケットの強化端部に固定されるので、全体的に、安定した良好な軸受形成が生まれる。
【００１６】
別の実施例に拠れば、ロッド状の前記支持部材は、数個のパーツから成り、強化端部の外側に接続部位を有する。この場合、例えば、支持部材は、強化（ボックス状）端部を貫通して伸びるとともに、且つ、下方及び／または上方に伸び噴霧管用キャリー部材を保持する更なる支持部材のための保持装置としても働く。前記支持部材は、例えば、互いにねじ結合させてもよい。
【００１７】
可能な場合、強化端部を貫通する支持部材という態様の代わりに、支持部材は、例えば強化（ボックス状）端部に設けるフランジによって、その強化端部の外側にのみ固定することもできる。
【００１８】
さらにまた別の実施例によれば、強化端部は、ロッド状支持部材が強化端部へ挿入され得るように形成できる。この場合、強化（ボックス状）端部は、例えば、上側に細長い穴を持ち、そこから支持部材が挿入される。強化端部は、内部に、支持部材のための適当な受け入れ装置を有する。
【００１９】
好ましくは、前記支持部材は、ロッド状に形成する、すなわち、支持体と平行な方向には長く伸びないように形成する。このために、適当な平たい形状を用いてよい。支持体に対して平行な方向において短い長さを有することの利点は、セパレーターパケットの点検が、支持体上方および下方の前記横断通路から可能であるという点である。
【００２０】
好ましくは、製造者がみずから直接に、セパレーターパケットに強化端部を形成する。すなわちそうすることで、一体形成が可能となる。但し、それは、強化端部が、脱着可能な接続もしくは脱着不能な接続装置、方法によりセパレーターパケットへ取り付けられることを、排除するものではない。
【００２１】
当然ながら、小滴セパレーターパケット全部に、強化端部を設けなければならないわけではない。例えば、三基以上のセパレーターパケットが、隣接する支持体の間に配置される場合、支持体に隣接する二つのパケットだけについて、支持体に隣接する端部を強化し、一方、中央のパケットは普通に形成し、外側の二つのパケットにおける中央側の二つの端部は強化しないままとすることができる。すなわち、噴霧管の支持構造を支えるセパレーターパケットだけが、強化端部を有する、もしくは、唯一の強化端部を持つ、ということが必須である。
【００２２】
先に伸べたとおり、強化端部はセパレーターパケットの幅の一部だけの長さであることが好ましい。従って、強化端部は、パケットの幅の中央部に配置し、一方、セパレーターパケットの普通のラメラを強化（ボックス状）部分の両側に配置することが望ましい。つまりは、前記強化端部は、当該支持構造の支持に適した強化されたもしくは堅くしたコア部分を形成する。
【００２３】
本発明の別の実施例に拠れば、当該支持構造は、隣り合う小滴セパレーターパケットそれぞれの間に配置される支持部材によって形成される。この実施例が用いられるのは、例えばフランジ接続などの適当な接続手段によって互いに接続される二つ以上の小滴セパレーターパケットを二つの隣り合う支持体の間に設ける場合である。本発明によればこの場合支持部材がふたつの小滴セパレーターパケット間の接続部位に配置され、そして、隣接するパケットへ接続され、これにより、この隣接するパケットどおしが協調して前記支持部材を支える。当然ながら、本発明によれば、長さの長い小滴セパレーターパケット一基の代わりに、短い小滴セパレーターパレットを二基設け、その間の接続部位に支持部材を取り付けることも可能である。なお、好ましくは、前記支持部材は、フランジ接続によって、セパレーターパケットへ接続される。
【００２４】
この実施例によれば、垂直な前記支持部材が、噴霧管を、望ましくは直接に支持する。但し、それは、噴霧管が配置されるキャリー部材を、（前記と同じく）支持部材間に設け得るということを除外するものではない。
【００２５】
この実施例ではまた、支持部材は、ロッド状に形成されるか、もしくは、細身のプレート形状を有している。支持部材は、例えば、隣接するセパレーターパケット間のレンジにおいて直線状には形成せず、ラメラの、特定角度の、もしくは、曲線状のコースに適合するように、前記のレンジにおけるパケットのラメラ形状に適合させてもよい。
【００２６】
直前に述べた実施例に拠れば、通常、小滴セパレーターパケットの端部の強化は必要でない。然しながら、間に支持部材が配置される各端部における強化は除外しない。
【００２７】
一般に、安定し、且つ、柔軟な材料、例えば、特殊鋼やプラスチック、グラス強化プラスチックなどを、本発明支持構造の材料として用いる。噴霧管もグラス強化プラスチックで形成してよい。この場合、例えばポリプロピレンの場合の三倍の、特に長い支持距離のもとで作業可能である。
【００２８】
更に、本発明は、特許請求の範囲第１項から第１１項のうちひとつに基づく煙道ガス洗浄機に用いるための支持構造に関する。
【発明を実施するための最良の形態】
【００２９】
以下、本発明を添付図面を参照して実施例により詳述する。
【実施例】
【００３０】
図面において、図１は起立したシリンダー状に形成される煙道ガス洗浄機（１）の一部分の、垂直方向の断面を示している。煙道ガスの流れの方向は矢印で示したとおりであり、図１では下部から上部へ流れる。煙道ガス洗浄機（１）に、それぞれ個別の小滴セパレーターパケットから成る下部粗セパレーターシステム（４）と、上部精細セパレーターシステム（３）とを配置する。小滴セパレーターパケットそれぞれは、端部を、煙道ガス洗浄機の横断面に沿って伸びる二本の支持体（２）に支持される。
【００３１】
小滴セパレーターパケット各々は、互いに平行に配置され、煙道ガス流が流れ、煙道ガス流の流れを偏向させ、連接状になった小滴の分離をこの方法で生じさせる複数の小滴セパレーターラメラから成る。このような小滴セパレーターは公知であり、本発明の部分を構成していない。
【００３２】
小滴セパレーターパケット各々は、端部に、ボックス状の強化部分（６）を有し、この強化部分（６）により、前記パケットは支持体（２）に架かる。前記強化端部（６）は、支持体（２）と平行に伸びて小滴セパレーターシステムの清掃のために役割を果たす噴霧管のための支持構造（７）を支持する。当該の噴霧円錐形状を図１の左側上部に示してある。噴霧管（８）はセパレーターシステム
（３）（４）の上と下に配置してあり、これにより、セパレーターパケットは、上部と、下部から清掃できる。
【００３３】
前記支持構造（７）は、ボックス状の前記強化端部（６）を貫通していて、強化端部（６）内で係止される垂直のロッド状支持部材（９）を有する。すなわち、このロッド状支持部材（９）は強化端部（６）から上方と下方に伸び、支持部材端部において、二本の支持部材（９）を互いに接続する噴霧管支持（キャリー）要素（１０）を支持している。
【００３４】
図２は噴霧管（８）の支持構造の精確な設計内容を示している。精細セパレーターシステム（３）が、二本の二重Ｔ形ビーム（Ｈ形ビーム）（２）に架かる小滴セパレーターパケットから成ることが認識できる。詳細に述べると、小滴セパレーターパケットは、前記支持体に係る軸受としての役割を果たすボックス状の二つの強化端部（６）を有している。更に、この強化端部（６）は、前記セパレーターシステムから上方と、下方に伸び端部部位に噴霧管支持要素（１０）を備えた垂直な支持部材（９）の係止部の役割を果たす。図２に示したように、二本の噴霧管（８）が、前記噴霧管支持要素（１０）各々に配置される。
【００３５】
更に、図２から、点検などのための横断通路（１１）が、点検などの目的のための用員が横切る支持体（２）の上と下に形成されることが認識できる。支持部材（９）は、この図面の紙面に垂直な方向に比較的短い距離伸びているだけであるので、横断通路（１１）からセパレーターシステム（３）（４）を点検することが可能である。
【００３６】
図３は、煙道ガス洗浄機（１）の横断面の約四分の一の平面図である。鎖線で示した支持体（２）上方に形成された横断通路（１１）が認識できる。噴霧管
（８）は支持体（２）の間に配置され、前記支持要素（１０）に支持されている。つまりは、二本の支持体（２）の間に噴霧管（８）二本ずつが、配置されることになる。
【００３７】
図４は、噴霧管（８）の支持構造（７）の、図２から９０°回転させた位置での図である。垂直の支持部材（９）は、図面の表面と平行にわずかな距離だけ伸びているので、支持部材（９）の中央部分が、小滴セパレーターパケットの端部部位に配置されるボックス状の強化端部（６）に係止することができる。この実施例により、セパレーターシステム（３）が、全体のうち数個だけに強化端部が設けられる複数のセパレーターパケットから成ることが示されている。当該支持構造のための支持機能を引き継がない残りのパケットは、普通のセパレーターパケットとして形成される。噴霧管（８）に配置されるノズルは、符号（１２）で示してあり、噴霧円錐形状が重なって、セパレーターパケットの全領域が清掃し得るよう、前記ノズル（１２）は互いに間隔を持たせてある。セパレーターパケットのラメラはそれぞれ、符号（１３）で示してある。
【００３８】
図５は、セパレーターパケットのボックス状の強化端部（６）に前記支持部材（９）を緊締するための二つの実施例を示している。図５の左側の実施例によれば、ひとつの部材（９）が、強化端部（６）を貫通し、この強化端部（６）に溶接されている。強化端部（６）を貫通する支持部材（９）が、強化端部（６）の外側に、上部および下部緊締フランジを形成し、この緊締フランジに、追加的な二本の支持部材（９）がねじ止めされ、この追加的な二本の支持部材（９）は、上方および下方に伸び、且つ、噴霧管を支持するための支持要素（１０）を含む。
【００３９】
図５の右側の実施例によれば、ひとつの支持部材（９）が、ボックス状の強化端部（６）へ挿入され、適当な保持構造（１４）により前記ボックス状の強化端部（６）へ固定される。前記支持部材（９）は、前記端部（６）の上側の細長い穴を通り、上方に伸びる。
【００４０】
図６ａは、セパレーターパケットの平面図である。セパレーターパケットは、符号（３）で示されていて、端部部位の中心部分に、ボックス状の強化端部（６）をそれぞれ有する。図６ｂは、支持部材（９）を挿入した状態の、ボックス状の強化端部（６）の側面図を示している。図６ｃは、９０°回転させた状態の側面図である。
【００４１】
図７に示す支持構造において、ロッド状支持部材（１６）は、セパレーターパケット（１５）には配置されず、セパレーターパケット（１５）間に配置される。ロッド状支持部材（１６）は、ブラケット（１７）により噴霧管（８）を支持し、対応のノズル（１２）が噴霧管に配置される。
【００４２】
図８において、支持部材（１６）は、支持体（２）の軸心に垂直な方向にわずかに伸びるので、この場合も、大きな自由空間が支持部材（１６）間に、点検を目的として得られることが認識される。支持体（２）上方のレンジは横断可能である。セパレーターパケット（１５）間の支持部材（１６）の緊締は、符号（１８）で示した適当なフランジ接続によって実現される。
【図面の簡単な説明】
【００４３】
【図１】煙道ガス洗浄機の一部分の側面図である。
【図２】図１の煙道ガス洗浄機の一部分の拡大図である。
【図３】図１及び図２の煙道ガス洗浄機の一部分の縮尺平面図である。
【図４】図２の煙道ガス洗浄機の一部分のＣ−Ｄ線部分の図である。
【図５】噴霧管用支持構造の他の実施例を備えた上記の図の煙道ガス洗浄機の詳細である。
【図６】６ａ、６ｂ、６ｃは、それぞれ、平面図、側面図、小滴セパレーターパケットの図６ａのＡ−Ｂ線部分の断面図である。
【図７】煙道ガス洗浄機の噴霧管用支持構造の別の実施例の側面図である。
【図８】図７の実施例の９０°位相を変えた状態を示す。
【図１】
2006501988.tif 000003
【図２】
2006501988.tif 000004
【図３】
2006501988.tif 000005
【図４】
2006501988.tif 000006
【図５】
2006501988.tif 000007
【図６】
2006501988.tif 000008
【図７】
2006501988.tif 000009
【図８】
2006501988.tif 000010
【国際調査報告】
2006501988.tif 000011
2006501988.tif 000012
2006501988.tif 000013
2006501988.tif 000014
2006501988.tif 000015
2006501988.tif 000016